(57)【要約】【課題】本発明は、メモリカードをコネクタに固定することができるメモリカード固定装置を提供することを目的とする。【解決手段】本発明に係るメモリカードを固定するメモリカード固定装置は、コネクタと、第一固定部品と、第二固定部品と、を備える。コネクタは、メモリカードを収容する接続部及び接続部の両端にそれぞれ回転可能に装着される２つの固定部を備え、第一固定部品及び第二固定部品は、メイン部及びメイン部の一端に回転可能に連接されるラッチ部を備え、ラッチ部は、固定部にそれぞれ係合され、メイン部はメモリカードの上部を収容し、且つ互いに係合する。【選択図】図２
2014127205.tif 000002
【特許請求の範囲】
【請求項１】
コネクタと、
第一固定部品と、
第二固定部品と、
を備える、メモリカードを固定するメモリカード固定装置であって、
前記コネクタは、前記メモリカードを収容する接続部と、前記接続部の両端にそれぞれ回転可能に装着される２つの固定部と、を備え、前記第一固定部品及び前記第二固定部品は、メイン部と、前記メイン部の一端に回転可能に連接されるラッチ部と、をそれぞれ備え、前記ラッチ部は、前記固定部にそれぞれ係合され、前記メイン部は前記メモリカードの上部を収容し、且つ互いに係合することを特徴とするメモリカード固定装置。
【請求項２】
前記第二固定部品の前記メイン部のうち、前記第一固定部品に隣接する端には、固定孔が設けられ、前記第一固定部品の前記メイン部のうち、前記第二固定部品に隣接する端には、前記固定孔に着脱可能に係合されるフックが設置されていることを特徴とする請求項１に記載のメモリカード固定装置。
【請求項３】
前記固定部は、互いに離れるように延伸する操作部をそれぞれ備え、前記ラッチ部は前記操作部の底面にそれぞれ当止されることを特徴とする請求項１又は２に記載のメモリカード固定装置。
【請求項４】
各前記メイン部の切断面はｎ字状を呈し、各前記メイン部は、頂壁と、前記頂壁の両側から下方にそれぞれ延伸する２つの側壁と、を備え、各前記ラッチ部はＵ字状を呈し、各前記ラッチ部の両端は、回転可能に対応するメイン部の側壁にそれぞれ連接されることを特徴とする請求項１から３の何れか一項に記載のメモリカード固定装置。
【請求項５】
各前記側壁には放熱孔がそれぞれ設けられていることを特徴とする請求項４に記載のメモリカード固定装置。
【発明の詳細な説明】
【技術分野】
【０００１】
本発明は、メモリカード固定装置に関するものである。
【背景技術】
【０００２】
従来の技術において、メモリカードはコネクタに直接挿入された後、メモリカードをコネクタに固定する装置が無いため、メモリカードは振動などを受けるとコネクタから脱落し易い。
【発明の概要】
【発明が解決しようとする課題】
【０００３】
本発明の目的は、前記問題を解決し、メモリカードをコネクタに固定することができるメモリカード固定装置を提供することである。
【課題を解決するための手段】
【０００４】
上記目的を達成するために、本発明に係るメモリカードを固定するメモリカード固定装置は、コネクタと、第一固定部品と、第二固定部品と、を備える。前記コネクタは、前記メモリカードを収容する接続部と、接続部の両端にそれぞれ回転可能に装着される２つの固定部と、を備え、前記第一固定部品及び前記第二固定部品は、メイン部と、メイン部の一端に回転可能に連接されるラッチ部と、を備え、ラッチ部は、固定部にそれぞれ係合され、前記メイン部は前記メモリカードの上部を収容し、且つ互いに係合する。
【発明の効果】
【０００５】
本発明に係るメモリカード固定装置は、第一固定部品のメイン部と第二固定部品のメイン部とがメモリカードの上部を収容し、且つ互いに係合し、第一固定部品のラッチ部と第二固定部品のラッチ部がコネクタの両端にそれぞれ係合されるので、メモリカードをコネクタに効果的に固定できる。
【図面の簡単な説明】
【０００６】
【図１】本発明の実施形態に係るメモリカード固定装置とメモリカードとの分解斜視図である。
【図２】図１に示すメモリカード固定装置とメモリカードとの組立斜視図である。
【発明を実施するための形態】
【０００７】
図１に示したように、本発明の実施形態に係るメモリカード固定装置は、メモリカード４０を固定する際に使用される。また、メモリカード固定装置は、コネクタ１０と、第一固定部品２０と、第二固定部品３０と、を備える。
【０００８】
メモリカード４０の両端には、係合孔４１がそれぞれ設けられている。
【０００９】
コネクタ１０は、メモリカード４０と電気的接続しながらメモリカード４０を収容する接続部１２と、接続部１２の両端に回転可能にそれぞれ装着される２つの固定部１４と、を備える。各固定部１４は、互いの固定部１４に向けて延伸する係合部１４１と、係合部１４１と離れる方向に延伸する操作部１４３と、をそれぞれ備える。
【００１０】
第一固定部品２０は、断面がｎ字状のメイン部２１と、メイン部２１の一端に回転可能に装着されたラッチ部２３と、を備える。メイン部２１は、頂壁２１２と、頂壁２１２の両側から下方へそれぞれ延伸する２つの側壁２１４と、を備える。頂壁２１２の他端（ラッチ部２３と離れる端）にはＬ字状のフック部２１３が設置されている。各側壁２１４には、複数の放熱孔２１５が設けられている。ラッチ部２３はＵ字状を呈し、その両端は２つの側壁２１４の一端（フック部２１３と離れる端）にそれぞれ回転可能に装着される。
【００１１】
第二固定部品３０は、断面がｎ字状のメイン部３１と、メイン部３１の一端に回転可能に装着されたラッチ部３３を備える。メイン部３１は、頂壁３１２と、頂壁３１２の両側から下方へそれぞれ延伸する２つの側壁３１４と、を備える。頂壁３１２の他端（ラッチ部３３と離れる端）には、固定孔３１３が設けられている。各側壁３１４には、複数の放熱孔３１５が設けられている。ラッチ部３３はＵ字状を呈し、その両端は２つの側壁３１４の一端（固定孔３１３と離れる端）にそれぞれ回転可能に装着される。
【００１２】
図２を参照すると、メモリカード４０を固定する際、固定部１４を互いに離れるように回転させ、メモリカード４０をコネクタ１０の接続部１２に挿入する。次いで、固定部１４を互いに向けて回転させ、係合部１４１を係合孔４１にそれぞれ係合させる。次いで、１つの操作部１４３がラッチ部３３を挿通するようにラッチ部３３を操作部１４３に向けて回転させ、ラッチ部３３のメイン部３１と離れる一端を該操作部１４３の底面に当接させる。この時、メモリカード４０の上部の一端がメイン部３１に収容されるように、メイン部３１はメモリカード４０に装着され、側壁３１４は、メモリカード４０の両側にそれぞれ当接される。次いで、もう１つの操作部１４３がラッチ部２３を挿通するように、ラッチ部２３を該操作部１４３に向けて回転させ、ラッチ部２３のメイン部２１と離れる一端を該操作部１４３の底面に当接させる。この時、メモリカード４０の上部の他端がメイン部２１に収容されるように、メイン部２１はメモリカード４０に装着され、側壁２１４は、メモリカード４０の両側にそれぞれ当接される。最後に、第一固定部品２０のメイン部２１を第二固定部品３０のメイン部３１に向けて移動させ、フック部２１３を固定孔３１３に係合させる。以上により、第一固定部品２０と第二固定部品３０をコネクタ１０に装着し、且つメモリカード４０をコネクタ１０に固定することができる。
【００１３】
メモリカード４０を取り外す際、第二固定部品３０に向けて第一固定部品２０を更に移動した後、メイン部２１を上方に向けて回転させ、フック部２１３を固定孔３１３から退出させる。次いで、第一固定部品２０及び第二固定部品３０を取り外し、固定部１４を互いに離れるように回転させれば、メモリカード４０は上方に移動し、コネクタ１０から取り外すことができる。
【符号の説明】
【００１４】
１０  コネクタ
１２  接続部
１４  固定部
１４１  係合部
１４３  操作部
２０  第一固定部品
２１、３１  メイン部
２１２、３１２  頂壁
２１３  フック部
２１４、３１４  側壁
２１５、３１５  放熱孔
２３、３３  ラッチ部
３０  第二固定部品
３１３  固定孔
４０  メモリカード
４１  係合孔
【図１】
2014127205.tif 000003
【図２】
2014127205.tif 000004